(57)【特許請求の範囲】
【請求項１】
天板とシェルサイドとからなる箱体に熱交換器とファンモータと前記ファンモータの駆動により回転するターボファンを収納し、前記天板と前記ターボファンとの間に隙間を設けてその空間にターボファンの回転により空気流を発生するように構成した空気調和機において、前記天板の平面部下面に前記ターボファンとの隙間を一部狭くする突起物を設け、前記突起物における前記ターボファンの回転方向に流れる前記空気流がぶつかる縦壁面を前記ターボファンの回転方向に向かうにつれて前記ターボファンの回転軸に近づくように配設して、前記空気流が前記ファンモータに当たるように構成した空気調和機。
【請求項２】
突起物を天板の絞り加工により形成した請求項１記載の空気調和機。
【発明の詳細な説明】
【０００１】
【発明の属する技術分野】
本発明はファンモータを冷却する空気調和機に関するものである。
【０００２】
【従来の技術】
従来の空気調和機としては、実開平４−１０６４１８号公報に示されているものがある。
【０００３】
以下に従来の空気調和機について図面を参照しながら説明する。
図６は従来の空気調和機の断面図、および図７は従来の空気調和機の平面図である。
【０００４】
図６において、１は天板、２は室内ユニット本体の外板であるシェルサイド、３は天板１に取り付けられているファンモータ、４はファンモータ３の駆動により回転し空気流ａを送り出すターボファン、５はターボファン４の送風効率を高めるためのオリフィス、６はターボファン４の外周に設けられた熱交換器、７は熱交換器６に付着する水滴を受けるためのドレンバン、８はファンモータ３を冷却するためのターボファン４の上部に設けられた補助羽根、９は補助羽根８により送り出される空気流ｂが、ファンモータ３を冷却するように設けられたモータ冷却風路である。
【０００５】
また、図７において、１４はファンモータ３の配線１２がターボファン４との接触を避けるため配線を押さえつけるモータコード押さえである。
【０００６】
以上のように構成された空気調和機について以下その動作について説明する。ファンモータ３に通電されることによりターボファン４が回転し空気流ａが熱交換器６を通過し熱交換された空気流ａが室内ユニット本体１０の外部へ放出される。それと同時にターボファン４が回転することによりターボファン４の上部に取り付けられている補助羽根８が回転し、補助羽根８の回転により発生し空気流ｂがファンモータ冷却風路９を通過し、ファンモータ３に空気流ｂが送られることによりファンモータ３を冷却するようになっている。
【０００７】
【発明が解決しようとする課題】
しかしながら上記のような構成では、モータ冷却風路９を天板１とターボファン４との間に設け、かつターボファン４の上部に取り付けられている補助羽根８が天板１との接触を避けるため、天板面より飛び出した部分である高さＨが必要であった。
【０００８】
本発明は上記従来の課題を解決するもので、現在空気調和機業界では天井高さの制約を少なくするという省施工性の一貫として空気調和機本体の薄型化が主流となっている中で、天板面より飛び出した高さを必要とすることなく、運転中のファンモータの冷却を効率良く行うことを目的とする。また、ファンモータの配線押さえを必要とすることなくファンモータの配線を容易に行えることを目的とする。
【０００９】
【課題を解決するための手段】
上記課題を解決するために本発明の空気調和機は、天板の平面部下面にターボファンの回転方向に流れる風をターボファンの回転軸方向に導く突起物を設けたものである。
【００１０】
これにより、天板面より飛び出した高さを必要とすることなく、運転中のファンモータの冷却を効率良く行うことができる。
【００１１】
また、突起物を天板の絞り加工により形成することにより、天板の強度を上げ、天板を薄板にし、空気調和機本体を軽量化することができる。
【００１２】
【発明の実施の形態】
本発明の請求項１記載の発明は、天板とシェルサイドとからなる箱体にファンモータとファンモータの駆動により回転するターボファンを収納し、前記天板と前記ターボファンとの間に隙間を設けてその空間にターボファンの回転により空気流を発生するように構成した空気調和機本体において、天板の平面部下面にターボファンとの隙間を一部狭くする突起物を設け、突起物におけるターボファンの回転方向に流れる前記空気流がぶつかる面を、ターボファンの回転方向に向かうにつれてターボファンの回転軸に近づくように配設して、空気流が前記ファンモータに当たるように構成したものであり、従来ファンモータを冷却する風路を設けるために、天板面より飛び出した高さが必要であったものが、天板面と水平なままで天板を構成することができるという作用を有する。
【００１３】
請求項２に記載の発明は、突起物を天板の絞り加工により形成するものであり、天板の剛性を上げることにより天板の強度を上げ、天板を薄板にし、空気調和機本体を軽量化できるという作用を有する。
【００１４】
【実施例】
以下、本発明の実施例について、図１から図５を用いて説明する。なお、従来と同一構成については同一符号を付してその詳細な説明は省略する。
【００１５】
（実施例１）
図１は本発明の実施例１による空気調和機の縦断面図であり、図２は同実施例による空気調和機の平面図である。
【００１６】
図１、図２に示すように、天板１の平面部下面にターボファン４との隙間を一部狭くする三角柱形の突起物１０を設け、突起物１０におけるターボファン４の回転方向に流れる空気流がぶつかる三角形の斜辺の縦壁面１０ａをターボファン４の回転方向に向かうにつれてターボファン４の回転軸に近づくように配設している。
【００１７】
ターボファン４の回転により天板１とターボファン４との空間に空気流ｂが発生する。空気流ｂが突起物１０の三角形の斜辺の縦壁面１０ａに沿って流れるように誘導される。誘導された空気流ｂはその後ファンモータ３に当たることになる。そのことによってファンモータ３が空気流ｂにより冷却される。
【００１８】
このことにより、従来ファンモータ３を冷却する風路を設けるために、天板１の面より飛び出した高さが必要であったものが、天板１と水平なままで構成することができる。
【００１９】
（実施例２）  図３は実施例２による空気調和機の縦断面図である。
【００２０】
図３に示すように、本実施例は突起物を天板の絞り加工部１１で構成したものであり、天板１の剛性を上げることにより天板１の強度を上げ、天板１を薄板にし、空気調和機本体を軽量化できる。かつファンモータ３の冷却を行うことができる。
【００２１】
【発明の効果】
以上のように本発明によれば、天板の平面部下面にターボファンの回転方向に流れる風をターボファンの回転方向に導く突起物を設けることにより、空気調和機本体の天板面より飛び出した高さを必要とすることなく、運転中のファンモータの冷却を効率良く行うことができる。
【００２２】
また、突起物を天板の絞り加工により形成することにより、天板の剛性を上げることにより天板の強度を上げ、天板を薄板にし、空気調和機本体を軽量化できる。
【図面の簡単な説明】
【図１】  本発明の実施例１の空気調和機の縦断面図
【図２】  本発明の実施例１の空気調和機の平面図
【図３】  本発明の実施例２の空気調和機の縦断面図
【図４】  従来の空気調和機の縦断面図
【図５】  従来の空気調和機の平面図
【符号の説明】
１  天板
２  シェルサイド
３  ファンモータ
４  ターボファン
１０  突起物
１０ａ  縦壁面
１１  絞り加工部
【図１】
0003757519.tif 000002
【図２】
0003757519.tif 000003
【図３】
0003757519.tif 000004
【図４】
0003757519.tif 000005
【図５】
0003757519.tif 000006